(57)【要約】      （修正有）【課題】手動運転後に自動運転が行われる場合に、適切に自動運転を行うことが可能な換気システムを提供する。【解決手段】この換気システム１は、検知機器２と、換気機器４と、操作部４４と、検知機器２の状態に応じた空気質連動風量になるように、換気機器４の風量を調整する自動換気モードと、ユーザの設定操作に応じた設定風量になるように、換気機器４の風量を調整する手動換気モードとを実行するように構成される制御手段２７と、を備える。制御手段２７は、自動換気モードを実行中に、操作部４４へのユーザの設定操作に基づいて手動換気モードに切り替えた場合、手動換気モードを所定の時間実行するとともに、所定の時間経過後に、ユーザの設定操作に応じた換気機器４の設定風量に基づいた風量（空気質連動風量）で、自動換気モードを新たに実行するように構成されている。【選択図】図２
2018071897.tif 000002
【特許請求の範囲】
【請求項１】
室内に配置されている室内機器と、
前記室内の空気を換気する換気手段と、
前記換気手段の風量に関するユーザの設定操作を受け付ける風量設定手段と、
前記室内機器の状態に応じた風量になるように、前記換気手段の風量を調整する第１換気モードと、前記ユーザの設定操作に応じた設定風量になるように、前記換気手段の風量を調整する第２換気モードとを実行するように構成される制御手段と、を備え、
前記制御手段は、前記第１換気モードを実行中に、前記風量設定手段への前記ユーザの設定操作に基づいて前記第２換気モードに切り替えた場合、前記第２換気モードを所定の時間実行するとともに、前記所定の時間経過後に、前記ユーザの設定操作に応じた前記換気手段の前記設定風量に基づいた風量で、前記第１換気モードを新たに実行するように構成されている、換気システム。
【請求項２】
前記制御手段は、前記風量設定手段への前記ユーザの設定操作に基づいて前記第２換気モードに切り替えられる前の前記第１換気モードにおける前記換気手段の風量と、切り替えられた後の前記ユーザの設定操作に応じた前記換気手段の前記設定風量との風量差に基づいて、前記所定の時間経過後の新たな前記第１換気モードにおける前記換気手段の風量を調整するように構成されている、請求項１に記載の換気システム。
【請求項３】
前記風量差が大きくなるに従って、絶対値が大きくなる学習加算点が記憶された記憶手段をさらに備え、
前記制御手段は、前記風量差に対応する前記学習加算点に基づいて、前記所定の時間経過後の新たな前記第１換気モードにおける前記換気手段の風量を調整するように構成されている、請求項２に記載の換気システム。
【請求項４】
前記第１換気モードにおける前記換気手段の風量より、切り替えられた後の前記ユーザの設定操作に応じた前記換気手段の前記設定風量が小さい場合における前記学習加算点の絶対値は、前記第１換気モードにおける前記換気手段の風量より、切り替えられた後の前記ユーザの設定操作に応じた前記換気手段の前記設定風量が大きい場合における前記学習加算点の絶対値よりも大きい、請求項３に記載の換気システム。
【請求項５】
前記室内機器は、発熱する調理器と、前記室内の空気の質を検知する空気質検知機器とを含み、
前記制御手段は、前記第１換気モードにおいて、前記調理器の駆動状態に応じた風量、または、前記空気質検知機器の空気質検知状態に応じた風量になるように、前記換気手段の風量を調整するように構成されているとともに、前記所定の時間経過後の新たな前記第１換気モードにおいて、前記調理器の駆動状態に応じた風量、または、前記空気質検知機器の空気質検知状態に応じた風量で、かつ、前記ユーザの設定操作に応じた前記換気手段の前記設定風量に基づいた風量になるように、前記換気手段の風量を調整するように構成されている、請求項１〜４のいずれか１項に記載の換気システム。
【請求項６】
前記制御手段は、前記第１換気モードにおいて、前記調理器の駆動状態に応じた風量と、前記空気質検知機器の空気質検知状態に応じた風量とのうち、いずれか大きな風量を採用して、採用した風量になるように、前記換気手段の風量を調整するように構成されている、請求項５に記載の換気システム。
【請求項７】
前記制御手段は、前記第２換気モードに切り替えられた際の前記ユーザの設定操作に応じた風量で前記第２換気モードを前記所定の時間実行する間に、前記風量設定手段への前記ユーザの設定操作が新たに行われた場合には、前記所定の時間経過後に、新たに行われた前記ユーザの設定操作に応じた前記換気手段の前記設定風量に基づいた風量で、前記第１換気モードを新たに実行するように構成されている、請求項１〜６のいずれか１項に記載の換気システム。
【発明の詳細な説明】
【技術分野】
【０００１】
この発明は、換気システムに関し、特に、換気手段の風量を調整するモードを実行するように構成された制御手段を備える換気システムに関する。
【背景技術】
【０００２】
従来、換気手段の風量を調整するモードを実行するように構成された制御手段を備える換気システムが知られている（たとえば、特許文献１参照）。
【０００３】
上記特許文献１には、ユーザが操作するキー入力部と、部屋の空気の状態を検出する検出部と、部屋に設けられた換気扇と、換気扇の駆動を制御する制御ユニットと、を備える自動換気装置が開示されている。この自動換気装置の制御ユニットは、センサ検出部（室内機器）の出力に応じた自動運転風量により換気扇を駆動させる自動運転モードを実行することが可能なように構成されている。ここで、上記特許文献１に記載の自動換気装置の制御ユニットは、自動運転モードの実行中において、ユーザのキー入力部への操作により手動運転風量が設定された場合に、設定された手動運転風量で換気扇を駆動させるとともに、手動運転を停止させる操作がユーザにより行われた際には、手動運転モード切替前の自動運転モードにおける自動運転風量で換気扇を駆動させるように構成されている。
【先行技術文献】
【特許文献】
【０００４】
【特許文献１】特許第３０７５６８９号
【発明の概要】
【発明が解決しようとする課題】
【０００５】
しかしながら、上記特許文献１に記載の自動換気装置では、手動運転を停止させる操作が行われた際には、手動運転モード切替前のセンサ検出部（室内機器）の出力に応じた自動運転風量で換気扇が駆動される。このため、たとえば、ユーザが自動運転風量が大きすぎたため、または、小さすぎたために自動運転モード（第１換気モード）から手動運転モード（第２換気モード）に切り替えた場合には、切り替えたにもかかわらず、ユーザが手動運転モードを停止させた後に、再度、ユーザが大きすぎる、または、小さすぎると感じた自動運転風量で、換気扇が駆動されてしまうという問題点がある。
【０００６】
この発明は、上記のような課題を解決するためになされたものであり、この発明の１つの目的は、手動運転後に自動運転が行われる場合に、適切に自動運転を行うことが可能な換気システムを提供することである。
【課題を解決するための手段】
【０００７】
この発明の一の局面による換気システムは、室内に配置されている室内機器と、室内の空気を換気する換気手段と、換気手段の風量に関するユーザの設定操作を受け付ける風量設定手段と、室内機器の状態に応じた風量になるように、換気手段の風量を調整する第１換気モードと、ユーザの設定操作に応じた設定風量になるように、換気手段の風量を調整する第２換気モードとを実行するように構成される制御手段と、を備え、制御手段は、第１換気モードを実行中に、風量設定手段へのユーザの設定操作に基づいて第２換気モードに切り替えた場合、第２換気モードを所定の時間実行するとともに、所定の時間経過後に、ユーザの設定操作に応じた換気手段の設定風量に基づいた風量で、第１換気モードを新たに実行するように構成されている。
【０００８】
この発明の一の局面による換気システムでは、制御手段を、第１換気モード（自動運転モード）を実行中に、風量設定手段へのユーザの設定操作に基づいて第２換気モード（手動転モード）に切り替えた場合、第２換気モードを所定の時間実行するとともに、所定の時間経過後に、ユーザの設定操作に応じた換気手段の設定風量に基づいた風量で、第１換気モードを新たに実行するように構成する。これにより、室内機器の状態に応じた第１換気モード（自動運転モード）における風量が、風量設定手段へのユーザの設定操作に基づく設定風量に基づく風量になるので、第２換気モード（手動運転モード）に設定された際のユーザの設定操作を、新たな第１換気モードにおける風量に反映させることができる。この結果、ユーザの意図（好み）を新たな第１換気モードにおける風量（室内機器の状態に応じた風量）に反映させることができるので、手動運転後に自動運転が行われる場合に、ユーザの意図に合わせて適切に自動運転を行うことができる。
【０００９】
上記一の局面による換気システムにおいて、好ましくは、制御手段は、風量設定手段へのユーザの設定操作に基づいて第２換気モードに切り替えられる前の第１換気モードにおける換気手段の風量と、切り替えられた後のユーザの設定操作に応じた換気手段の設定風量との風量差に基づいて、所定の時間経過後の新たな第１換気モードにおける換気手段の風量を調整するように構成されている。このように構成すれば、風量差に基づいて、新たな第１換気モード（自動運転モード）における換気手段の風量が調整されるので、ユーザの意図する設定風量と室内機器の状態に応じた風量とのずれを、新たな第１換気モードにおける換気手段の風量に確実に反映させることができる。これにより、新たな第１換気モード（自動運転モード）における換気手段の風量が、ユーザの意図（好み）とは異なる風量になるのを確実に抑制することができる。
【００１０】
この場合、好ましくは、風量差が大きくなるに従って、絶対値が大きくなる学習加算点が記憶された記憶手段をさらに備え、制御手段は、風量差に対応する学習加算点に基づいて、所定の時間経過後の新たな第１換気モードにおける換気手段の風量を調整するように構成されている。このように構成すれば、風量差に対応する学習加算点を用いてユーザの意図（好み）を容易に数値化することができるので、新たな第１換気モードにおける換気手段の風量にユーザの意図（好み）を容易に反映させることができる。また、学習加算点の絶対値を、風量差が大きくなるに従って大きくなるように設定することによって、新たな第１換気モードにおける換気手段の風量に、風量差の大小を反映させることができるので、新たな第１換気モード（自動運転モード）における換気手段の風量を、ユーザの意図する風量に適切に近づけることができる。
【００１１】
上記風量差に対応する学習加算点に基づいて風量を調整する構成において、好ましくは、第１換気モードにおける換気手段の風量より、切り替えられた後のユーザの設定操作に応じた換気手段の設定風量が小さい場合における学習加算点の絶対値は、第１換気モードにおける換気手段の風量より、切り替えられた後のユーザの設定操作に応じた換気手段の設定風量が大きい場合における学習加算点の絶対値よりも大きい。ここで、一般的に、ユーザは、第１換気モードにおける室内機器の状態に応じた風量を、小さすぎる（弱すぎる）と感じるよりも、大きすぎる（強すぎる）と感じやすい傾向にあると考えられるので、ユーザにより設定風量を小さくする設定操作が行われる頻度が多くなると考えられる。そこで、本発明では、上記のように、第１換気モードにおける換気手段の風量より、切り替えられた後のユーザの設定操作に応じた換気手段の設定風量が小さい場合における学習加算点の絶対値を、第１換気モードにおける換気手段の風量より、切り替えられた後のユーザの設定操作に応じた換気手段の設定風量が大きい場合における学習加算点の絶対値よりも大きくすることによって、ユーザによる設定風量を小さくする設定操作を、ユーザによる設定風量を大きくする設定操作よりも、新たな第１換気モード（自動運転モード）における換気手段の風量に大きく反映させることができる。これにより、ユーザが第１換気モード後（自動運転後）に再度手動により設定操作する頻度を減少させることができる。
【００１２】
上記一の局面による換気システムにおいて、好ましくは、室内機器は、発熱する調理器と、室内の空気の質を検知する空気質検知機器とを含み、制御手段は、第１換気モードにおいて、調理器の駆動状態に応じた風量、または、空気質検知機器の空気質検知状態に応じた風量になるように、換気手段の風量を調整するように構成されているとともに、所定の時間経過後の新たな第１換気モードにおいて、調理器の駆動状態に応じた風量、または、空気質検知機器の空気質検知状態に応じた風量で、かつ、ユーザの設定操作に応じた換気手段の設定風量に基づいた風量になるように、換気手段の風量を調整するように構成されている。このように構成すれば、新たな第１換気モード（自動運転モード）において、調理器の駆動状態に応じた風量、または、空気質検知機器の空気質検知状態に応じた風量に、ユーザの意図（好み）を反映させることができる。
【００１３】
この場合、好ましくは、制御手段は、第１換気モードにおいて、調理器の駆動状態に応じた風量と、空気質検知機器の空気質検知状態に応じた風量とのうち、いずれか大きな風量を採用して、採用した風量になるように、換気手段の風量を調整するように構成されている。このように構成すれば、換気手段の風量が、調理器の駆動状態に応じた風量、および、空気質検知機器の空気質検知状態に応じた風量よりも小さな風量になるのを抑制することができる。これにより、調理器の駆動に必要な風量を確実に供給することができるとともに、室内の空気の質が低下するのを抑制することができる。
【００１４】
上記一の局面による換気システムにおいて、好ましくは、制御手段は、第２換気モードに切り替えられた際のユーザの設定操作に応じた風量で第２換気モードを所定の時間実行する間に、風量設定手段へのユーザの設定操作が新たに行われた場合には、所定の時間経過後に、新たに行われたユーザの設定操作に応じた換気手段の設定風量に基づいた風量で、第１換気モードを新たに実行するように構成されている。このように構成すれば、ユーザの最新の意図（好み）を、新たな第１換気モード（自動運転モード）における換気手段の風量に確実に反映させることができる。
【発明の効果】
【００１５】
本発明によれば、上記のように、手動運転後に自動運転が行われる場合に、適切に自動運転を行うことができる。
【図面の簡単な説明】
【００１６】
【図１】本発明の一実施形態による換気システムの模式図である。
【図２】本発明の一実施形態による換気システムのブロック図である。
【図３】本発明の一実施形態による換気システムの空気質連動風量マップである。
【図４】本発明の一実施形態による換気システムの実風量マップである。
【図５】本発明の一実施形態による換気システムの学習加算点マップである。
【図６】本発明の一実施形態による換気システムの制御フローである。
【発明を実施するための形態】
【００１７】
以下、本発明を具体化した実施形態を図面に基づいて説明する。
【００１８】
（換気システムの構成）
図１〜図４を参照して、本発明の一実施形態による換気システム１の全体構成について説明する。
【００１９】
図１に示す換気システム１は、検知機器２を備えている。換気システム１は、調理器３を備えている。換気システム１は、換気機器４を備えている。検知機器２と、調理器３と、換気機器４とは、室内５００に配置されている。検知機器２は、室内５００の空気の状態を検知するように構成されている。具体的には、検知機器２は、ガス警報器である。調理器３は、熱により調理を行うように構成されている。換気機器４は、室内５００の空気を換気するように構成されている。検知機器２は、特許請求の範囲の「室内機器」および「空気質検知機器」の一例である。調理器３は、特許請求の範囲の「室内機器」の一例である。
【００２０】
（検知機器の構成）
図２に示すように、検知機器２は、各種センサ２１を備えている。検知機器２は、表示部２２を備えている。検知機器２は、音声スピーカ２３を備えている。検知機器２は、通信部２４を備えている。検知機器２は、マイコン２５を備えている。検知機器２は、操作部２６を備えている。検知機器２は、制御手段２７を備えている。検知機器２は、記憶手段２８を備えている。
【００２１】
各種センサ２１は、煙センサ２１１を含んでいる。煙センサ２１１は、煙を検知するように構成されている。煙センサ２１１が煙を検知することにより、制御手段２７は火災の発生を検知する。
【００２２】
各種センサ２１は、ガスセンサ２１２を含んでいる。ガスセンサ２１２は、所定のガスを検知するように構成されている。ガスセンサ２１２は、たとえば、メタン都市ガスおよびＬＰガスなどの燃焼ガスを検知できるセンサである。ガスセンサ２１２がガスを検知することにより、制御手段２７はガス漏れを検知する。
【００２３】
各種センサ２１は、ＣＯ（一酸化炭素）センサ２１３を含んでいる。ＣＯセンサ２１３は、ＣＯガスを検知するように構成されている。ＣＯセンサ２１３がＣＯガスを検知することにより、制御手段２７は室内５００のＣＯガスの存在を検知する。
【００２４】
各種センサ２１は、空気質センサ２１４を含んでいる。空気質センサ２１４は、室内５００の空気質を検知するように構成されている。なお、「空気質」とは、特定の気体成分に限定されず、料理の際に発生した臭い、および、ゴミの臭いなどの生活臭を示す広い概念である。空気質センサ２１４は、言い換えると、においセンサである。
【００２５】
制御手段２７は、空気質センサ２１４による空気質の検知結果に基づいて、空気質レベルとして、レベル０からレベル５までの６段階で、室内５００の空気質を評価するように構成されている。最小のレベル０は、においがほとんどない状態を示している。最高のレベル５は、においが非常に強い状態を示している。レベル１〜４では、空気質レベルの値が大きくなるに従って、においの程度が強くなる。
【００２６】
表示部２２は、複数の発光部（たとえば、ＬＥＤ）を含んでいる。表示部２２は、煙センサ２１１による検知状態を報知する発光部２２１を含んでいる。表示部２２は、ガスセンサ２１２による検知状態を報知する発光部２２２を含んでいる。表示部２２は、ＣＯセンサ２１３による検知状態を報知する発光部２２３を含んでいる。表示部２２は、空気質センサ２１４による検知状態を報知する発光部２２４を含んでいる。また、表示部２２は、検知機器２の電源の状態を報知する発光部２２５を含んでいる。
【００２７】
なお、各発光部は、対応するセンサの検知対象に応じた所定の色で発光するように構成することができる。また、発光部２２４は、赤（Ｒ）、緑（Ｇ）、および青（Ｂ）の３つの光源を含み、３つの光源から各々出射される光を用いて、種々の色により発光することが可能に構成されている。これにより、種々の色を用いて、室内５００が６段階の空気質レベルのうちのいずれの空気質レベルであるかをユーザに報知することが可能である。
【００２８】
音声スピーカ２３は、検知機器２の状態（警告など）を、音声によりユーザに報知するために設けられている。
【００２９】
通信部２４は、調理器３の後述する通信部３２と通信可能に構成されている。通信部２４は、換気機器４の後述する通信部４２と通信可能に構成されている。通信部２４を用いることにより、検知機器２は調理器３および換気機器４の各々と通信可能である。また、通信部２４は、種々の通信規格の通信モジュールを用いることができる。通信部２４は、たとえば、Ｂｌｕｅｔｏｏｔｈ（登録商標）通信モジュールを採用することができる。
【００３０】
マイコン２５は、通信部２４を制御するように構成されている。マイコン２５は、所定のプログラムにより動作するＣＰＵにより構成されている制御部である。
【００３１】
操作部２６は、検知機器２に対して、ユーザが各種の入力操作を行えるように設けられている。操作部２６は、たとえば、スイッチにより構成されている。
【００３２】
制御手段２７は、所定のプログラムにより動作するＣＰＵにより構成されている制御部である。制御手段２７は、主として、検知機器２の各種制御を行うように構成されている。また、制御手段２７は、制御手段３６および４６の少なくとも一方と連動して動作可能に構成されている。制御手段２７の詳細については、後述する。
【００３３】
記憶手段２８には、後述する空気質連動風量マップ（図３参照）、実風量マップ（図４参照）、および、学習加算点マップ（図５参照）が記憶されている。記憶手段２８は、換気機器４の駆動状態を時系列的に記憶することが可能に構成されている。記憶手段２８は、換気機器４へのユーザの設定操作の内容を記憶することが可能に構成されている。
【００３４】
（調理器の構成）
調理器３は、たとえば、ガスコンロである。なお、調理器３は、ガスコンロに限らず、ガス式の炊飯器や、電磁調理器など、熱により調理を行うための調理器を示す概念である。
【００３５】
調理器３は、加熱部３１を含んでいる。調理器３は、通信部３２を含んでいる。調理器３は、通信部３２とは異なる通信部３３を含んでいる。調理器３は、操作部３４を含んでいる。調理器３は、表示部３５を含んでいる。調理器３は、制御手段３６を含んでいる。調理器３は、発光部３７（図１参照）を含んでいる。
【００３６】
加熱部３１は、右コンロ３１１と、後コンロ３１２と、左コンロ３１３と、グリル３１４とを含んでいる。右コンロ３１１、後コンロ３１２、左コンロ３１３、および、グリル３１４は、各々、燃焼ガスの燃焼により発熱するように構成されている。
【００３７】
通信部３２は、通信部２４と同一規格または互換性がある規格の通信部である。通信部３２を用いることにより、調理器３は検知機器２と通信可能である。
【００３８】
通信部３３は、通信部３２と異なる規格の通信部である。通信部３３を用いることにより、調理器３は換気機器４と通信可能である。
【００３９】
操作部３４は、ユーザが調理器３に対する各種操作を行うための操作部である。操作部３４は、たとえば、スイッチにより構成されている。
【００４０】
表示部３５は、調理器３に関する各種情報を表示するように構成されている。
【００４１】
制御手段３６は、所定のプログラムにより動作するＣＰＵにより構成されている制御部である。制御手段３６は、主として、調理器３の各種制御を行うように構成されている。
【００４２】
図１に示す発光部（ＬＥＤ）３７は、調理器３の電源入切状態をユーザに報知するように構成されている。
【００４３】
（換気機器の構成）
換気機器４は、室内５００の空気を室外に排気するためのレンジフードである。換気機器４は、ファンユニット４１を含んでいる。換気機器４は、通信部４２を含んでいる。換気機器４は、通信部４３を含んでいる。換気機器４は、操作部４４を含んでいる。換気機器４は、表示部４５を含んでいる。換気機器４は、制御手段４６を含んでいる。なお、換気機器４は、特許請求の範囲の「換気手段」の一例である。
【００４４】
ファンユニット４１は、室内５００の空気の入れ替えを行うために回転駆動されるファンである。ファンユニット４１は、制御手段４６により回転数が制御されるように構成されている。ファンユニット４１は、４段階（ＯＦＦ、弱、中および強）で回転駆動するように構成されている。「ＯＦＦ」は、ファンユニット４１が回転駆動しない状態（換気機器４の風量がない状態）を示している。「弱」、「中」、「強」では、この順に、ファンユニット４１の回転数が大きくなり、換気機器４の風量が大きくなる。この結果、換気機器４の風量は、風量の大きさに応じた４段階のいずれかに設定可能である。
【００４５】
通信部４２は、通信部２４と同一規格または互換性がある規格の通信部である。通信部４２を用いることにより、換気機器４は検知機器２と通信可能である。
【００４６】
通信部４３は、通信部４２と異なる規格の通信部である。通信部４３を用いることにより、換気機器４は調理器３と通信可能である。
【００４７】
操作部４４は、ユーザが換気機器４に対する各種操作を行うための操作部である。操作部４４は、換気機器４の風量に関するユーザの設定操作を受け付けることが可能に構成されている。操作部４４は、たとえば、ユーザの押下する回数により、ユーザにより設定操作される換気機器４の風量（後述する設定風量）が切り替わるスイッチを含んでいる。換気機器４では、「ＯＦＦ」、「弱」、「中」、「強」の順に、風量（設定風量）が切り替わる。なお、操作部４４は、特許請求の範囲の「風量設定手段」の一例である。
【００４８】
表示部４５は、換気機器４に関する各種情報を表示するように構成されている。表示部４５は、複数の発光部（たとえば、ＬＥＤ）を含んでいる。表示部４５は、電源状態や、換気機器４の風量（実風量）などの各種情報を報知するように構成されている。
【００４９】
制御手段４６は、所定のプログラムにより動作するＣＰＵにより構成されている制御部である。制御手段４６は、主として、換気機器４の各種制御を行うように構成されている。
【００５０】
（検知機器の制御手段の詳細な制御内容）
次に、検知機器２の制御手段２７の詳細な制御内容について説明する。
【００５１】
（換気モードの説明）
検知機器２の制御手段２７は、自動換気モード（第１換気モード）と、手動換気モード（第２換気モード）との２つの運転モードにより、換気機器４のファンユニット４１の回転駆動を行わせるように構成されている。検知機器２の制御手段２７は、手動換気モードである場合を除き、自動で換気機器４の風量を調整する自動換気モードにより、換気機器４のファンユニット４１の回転駆動を行わせるように構成されている。
【００５２】
（自動換気モードの説明）
自動換気モードでは、検知機器２の制御手段２７は、調理器３の駆動状態に基づく換気機器４の風量（調理器連動風量）、または、室内５００の空気質に基づく換気機器４の風量（空気質連動風量）のいずれかの風量になるように、換気機器４の風量（実風量）を調整するように構成されている。
【００５３】
（調理器の駆動状態に基づく風量決定）
検知機器２の制御手段２７は、通信部３２および２４を介して受信した調理器３の駆動状態に基づいて、換気機器４の風量（調理器連動風量）を取得するように構成されている。この際、制御手段２７は、所定の条件に基づいて、換気機器４の調理器連動風量を、「ＯＦＦ」、「弱」、「中」または「強」のいずれかに決定するように構成されている。所定の条件としては、右コンロ３１１、後コンロ３１２、左コンロ３１３、および、グリル３１４の駆動の有無、駆動している右コンロ３１１、後コンロ３１２、左コンロ３１３、および、グリル３１４の各々の駆動状態（火力の大小）、駆動している右コンロ３１１、後コンロ３１２、左コンロ３１３、および、グリル３１４の位置関係などが挙げられる。
【００５４】
（空気質検知状態に基づく風量決定）
検知機器２の制御手段２７は、空気質レベルとして評価した室内５００の空気質に基づいて、換気機器４の風量（空気質連動風量）を取得するように構成されている。この際、制御手段２７は、図３に示す空気質連動風量マップに基づいて、空気質レベルに対応する換気機器４の空気質連動風量を、「ＯＦＦ」、「弱」、「中」または「強」のいずれかに決定するように構成されている。
【００５５】
なお、初期状態（後述する学習が行われる前の状態）では、空気質レベルがレベル０である場合には、空気質連動風量は、「ＯＦＦ」となる。初期状態では、空気質レベルがレベル１または２である場合に、空気質連動風量は、「弱」となる。初期状態では、空気質レベルがレベル３または４である場合に、空気質連動風量は、「中」となる。初期状態では、空気質レベルがレベル５である場合に、空気質連動風量は、「強」となる。なお、制御手段２７は、リセットなどが行われて、検知機器２の初期設定に切り替えられた場合に、初期状態となる。
【００５６】
（自動運転モードにおける風量決定）
検知機器２の制御手段２７は、調理器３の駆動状態に基づく換気機器４の風量（調理器連動風量）、および、室内５００の空気質に基づく換気機器４の風量（空気質連動風量）のうち、大きな風量を採用して、採用した風量になるように、換気機器４の風量（実風量）を調整するように構成されている。具体的には、検知機器２の制御手段２７は、調理器連動風量および空気質連動風量から、図４に示す実風量マップに基づいて実風量を取得して、実風量になるように、換気機器４の風量を調整するように構成されている。たとえば、調理器３の駆動状態に基づく調理器連動風量が「弱」であり、空気質連動風量が「中」である場合には、制御手段２７は「中」を採用する。そして、制御手段２７は、採用した風量「中」になるように、換気機器４の風量を調整するように構成されている。
【００５７】
（手動換気モードの説明）
ユーザにより換気機器４の操作部４４が操作されることにより、換気機器４の風量（設定風量）が「ＯＦＦ」、「弱」、「中」または「強」のいずれかに設定操作された際に、換気機器４の通信部４２を介して、ユーザにより風量の設定操作が行われた旨が検知機器２に伝えられる。検知機器２の制御手段２７は、自動換気モード実行中において、ユーザにより風量の設定操作が行われた旨を換気機器４から受信すると、手動換気モードに切り替わる。検知機器２の制御手段２７は、ユーザによる設定操作に応じた設定風量になるように、換気機器４の風量（実風量）を調整する。そして、制御手段２７により、設定風量は、記憶手段２８に記憶される。
【００５８】
手動換気モードは、ユーザの設定操作を受け付けてから所定の時間（たとえば、約３０分間）継続される。そして、検知機器２の制御手段２７は、所定時間経過後に、自動的に手動換気モードから自動換気モードに切り替わるように構成されている。
【００５９】
なお、手動換気モード実行中において、ユーザの設定操作が新たに行われた場合には、検知機器２の制御手段２７により、ユーザに新たに設定操作された設定風量になるように、換気機器４の風量（実風量）が調整される。この場合、手動換気モードは、ユーザの最初の設定操作を受け付けてから所定の時間（たとえば、約３０分間）行われる。
【００６０】
手動換気モード実行中で、かつ、ユーザに新たに設定操作された設定風量になるように、換気機器４の風量が調整されている際に、調理器３の右コンロ３１１、後コンロ３１２、左コンロ３１３、および、グリル３１４のいずれか１つの駆動が変更された場合（全て未駆動にされた場合は除く）には、検知機器２の制御手段２７は、変更された調理器３の駆動状態に基づく調理器連動風量になるように、換気機器４の風量（実風量）を調整するように構成されている。さらに、手動換気モード実行中で、かつ、調理器の駆動状態に基づく調理器連動風量になるように、換気機器４の風量が調整されている際に、ユーザの設定操作が新たに行われた場合には、検知機器２の制御手段２７により、ユーザに新たに設定操作された設定風量になるように、換気機器４の風量（実風量）が調整される。つまり、制御手段２７は、手動換気モード実行中においては、調理器３に対するユーザの設定操作または換気機器４に対するユーザの設定操作のうち、最後に行われた設定操作に応じた風量（調理器連動風量または設定風量）に基づいて、換気機器４の風量（実風量）が調整されるように構成されている。
【００６１】
（学習機能の説明）
ここで、本実施形態では、検知機器２の制御手段２７は、手動換気モードが所定の時間実行されて、所定時間経過後に、自動的に手動換気モードから自動換気モードに切り替わった際に、ユーザの設定操作に応じた換気機器４の設定風量に基づいた風量で、新たに自動換気モードを実行するように構成されている。
【００６２】
具体的には、制御手段２７は、換気機器４の操作部４４へのユーザの設定操作に基づいて手動換気モードに切り替えられる前の自動換気モードにおける換気機器４の風量と、切り替えられた後の手動換気モードにおけるユーザの設定操作に応じた換気機器４の設定風量との風量差に基づいて、所定の時間経過後の新たな自動換気モードにおける換気機器４の風量を調整するように構成されている。ここで、制御手段２７は、換気機器４の操作部４４へのユーザの設定操作に基づいて手動換気モードに切り替えられる前の自動換気モードにおける換気機器４の風量として、室内５００の空気質に基づく換気機器４の風量（空気質連動風量）を採用するように構成されている。また、制御手段２７は、新たな自動換気モードにおける換気機器４の風量として、空気質連動風量を調整するように構成されている。
【００６３】
また、制御手段２７は、手動換気モードに切り替えられてから所定の時間経過する前に、新たにユーザの設定操作が行われた場合には、所定の時間経過後において、新たに行われたユーザの設定操作に応じた設定風量と、手動換気モードに切り替えられる前の自動換気モードにおける換気機器４の風量（空気質連動風量）との風量差に基づいて、所定の時間経過後の新たな自動換気モードにおける換気機器４の風量（空気質連動風量）を調整するように構成されている。つまり、手動換気モードにおいて最後に行われたユーザの設定操作に応じて、新たな自動換気モードにおける換気機器４の風量（空気質連動風量）が調整される。
【００６４】
（学習加算点の取得）
この際、制御手段２７は、図５に示す学習加算点マップを用いて、風量差に基づく学習加算点を取得するように構成されている。学習加算点マップには、切り替えられる前の自動換気モードにおける空気質連動風量と、切り替えられた後の手動換気モードにおける設定風量との風量差が反映される学習加算点が記載されている。たとえば、空気質連動風量が「強」であり、設定風量が「弱」である第１の場合には、学習加算点として、「−２」が取得される。また、たとえば、空気質連動風量が「強」であり、設定風量が「中」である第２の場合には、学習加算点として、「−１」が取得される。また、たとえば、空気質連動風量が「弱」であり、設定風量が「強」である第３の場合には、学習加算点として、「＋１」が取得される。
【００６５】
ここで、学習加算点は、切り替えられる前の自動換気モードにおける空気質連動風量と、切り替えられた後の手動換気モードにおける設定風量との風量差が大きくなるに従って、絶対値が大きくなるように設定されている。たとえば、空気質連動風量が「強」であり設定風量が「弱」である第１の場合は、空気質連動風量が「強」であり設定風量が「中」である第２の場合よりも風量差が大きい。このため、第１の場合の学習加算点の絶対値は「２」であり、第２の場合の学習加算点の絶対値「１」よりも大きく設定されている。
【００６６】
また、切り替えられる前の自動換気モードにおける換気機器４の風量（空気質連動風量）より、切り替えられた後の手動換気モードにおける設定風量が小さい場合における学習加算点の絶対値は、自動換気モードにおける換気機器４の風量（空気質連動風量）より、手動換気モードにおける設定風量が大きい場合における学習加算点の絶対値よりも大きくなるように、学習加算点が設定されている。たとえば、空気質連動風量が「強」であり、設定風量が「弱」である第１の場合と、空気質連動風量が「弱」であり、設定風量が「強」である第３の場合とは、空気質連動風量および設定風量が逆になっている。ここで、空気質連動風量より設定風量が小さい第１の場合における学習加算点の絶対値（＝２）は、空気質連動風量より設定風量が大きい第３の場合における学習加算点の絶対値（＝１）よりも大きくなるように、学習加算点が設定されている。
【００６７】
（空気質連動風量の更新）
そして、制御手段２７は、図３に示す空気質連動風量マップと、取得した学習加算点とに基づいて、空気質連動風量を更新するように構成されている。たとえば、空気質連動風量が「強」であり、設定風量が「弱」である第１の場合には、取得した学習加算点が「−２」である。この場合、空気質連動風量マップに基づいて、空気質レベルがレベル０または１である場合には、空気質連動風量は、「ＯＦＦ」となり、空気質レベルがレベル２、３または４である場合には、空気質連動風量は、「弱」となり、空気質レベルがレベル５である場合には、空気質連動風量は、「中」となるように、空気質連動風量が更新される。そして、制御手段２７は、自動運転モードにおいて、更新された空気質連動風量と、上記した調理器連動風量とに基づいて、換気機器４の風量（実風量）を調整するように構成されている。
【００６８】
（制御フロー）
次に、図２および図６を参照して、本発明の一実施形態による換気システム１の制御フローについて説明する。なお、本制御フローは、検知機器２の制御手段２７により実行される。
【００６９】
換気システム１の制御フローでは、図６に示すように、ステップＳ１において、制御手段２７により、空気質センサ２１４からの検知結果に基づいて、空気質レベル（レベル０〜５のいずれか）が取得される。ステップＳ２において、制御手段２７により、図３に示す空気質連動風量マップと学習加算点とに基づいて、空気質レベルに応じた空気質連動風量が取得される。なお、初期状態における学習加算点は、「０」である。
【００７０】
ステップＳ３において、制御手段２７により、通信部３２および２４を介して受信した調理器３の駆動状態（未駆動状態も含む）に基づいて、調理器３の駆動状態に応じた調理器連動風量が取得される。
【００７１】
ステップＳ４において、制御手段２７により、図４に示す実風量マップ、調理器連動風量および空気質連動風量に基づいて、実風量が取得される。なお、実風量として、調理器連動風量および空気質連動風量のうち、大きな風量が採用される。
【００７２】
ステップＳ５において、制御手段２７により、取得した実風量になるように、換気機器４の風量が調整される。
【００７３】
ステップＳ６において、制御手段２７により、ユーザにより風量の設定操作が行われたか否かが判断される。風量の設定操作が行われていないと判断された場合には、ステップＳ１に戻る。なお、ステップＳ１〜Ｓ６の制御フローは、自動換気モードにおける制御フローである。
【００７４】
風量の設定操作が行われたと判断された場合には、自動換気モードから手動換気モードに切り替わり、ステップＳ７において、制御手段２７により、ユーザの設定操作に応じた設定風量になるように、換気機器４の風量が調整される。
【００７５】
ステップＳ８において、制御手段２７により、調理器３の駆動が変更されていない、または、調理器３の右コンロ３１１、後コンロ３１２、左コンロ３１３、および、グリル３１４の全ての駆動が未駆動に変更された（調理器３が未駆動に変更された）か否かが判断される。調理器３の駆動が変更されていない、または、調理器３が未駆動に変更されたと判断された場合には、ステップＳ１０に進む。調理器３の駆動が変更された（調理器３が未駆動に変更された場合は除く）と判断された場合は、ステップＳ９において、制御手段２７により変更された調理器の駆動状態に対応する調理器連動風量になるように、換気機器４の風量が調整される。
【００７６】
ステップＳ１０において、制御手段２７により、ユーザにより新たに風量の設定操作が行われたか否かが判断される。新たな風量の設定操作が行われたと判断された場合には、ステップＳ１１において、制御手段２７により、ユーザによる新たな設定操作に応じた設定風量になるように、換気機器４の風量が調整される。そして、ステップＳ８に戻る。
【００７７】
ステップＳ１０において、再度設定操作されていないと判断された場合には、ステップＳ１２において、制御手段２７により、ユーザによる設定操作から所定の時間経過したか否かが判断される。なお、ユーザにより複数回の設定操作が行われている場合には、制御手段２７により、最初の設定操作から所定の時間経過したか否かが判断される。ユーザによる設定操作から所定の時間経過していないと判断された場合には、ステップＳ８に戻る。
【００７８】
ユーザによる設定操作から所定の時間経過したと判断された場合には、手動換気モードから自動換気モードに切り替わり、ステップＳ１３において、制御手段２７により、図５に示す学習加算点マップに基づいて、空気質連動風量と設定風量との風量差に応じた学習加算点が取得される。なお、手動換気モードにおいて、ユーザにより複数回の設定操作が行われている場合には、最後の設定操作に応じた設定風量が用いられる。
【００７９】
そして、ステップＳ１に戻り、制御手段２７により、空気質レベルが取得され、ステップＳ２において、空気質連動風量マップとステップＳ１３において取得された学習加算点とに基づいて、空気質レベルに応じた空気質連動風量が取得される。そして、制御手段２７により、ステップＳ３以降の制御が行われる。
【００８０】
（本実施形態の効果）
本実施形態では、以下のような効果を得ることができる。
【００８１】
本実施形態では、上記のように、制御手段２７を、自動換気モードを実行中に、操作部４４へのユーザの設定操作に基づいて手動換気モードに切り替えた場合、手動換気モードを所定の時間実行するとともに、所定の時間経過後に、ユーザの設定操作に応じた換気機器４の設定風量に基づいた風量（空気質連動風量）で、自動換気モードを新たに実行するように構成する。これにより、室内機器の状態に応じた自動換気モードにおける風量（空気質連動風量）が、操作部４４へのユーザの設定操作に基づく設定風量に基づく風量（空気質連動風量）になるので、手動換気モードに設定された際のユーザの設定操作を、新たな自動換気モードにおける風量（空気質連動風量）に反映させることができる。この結果、ユーザの意図（好み）を新たな自動換気モードにおける風量（検知機器２の空気質検知状態に応じた空気質連動風量）に反映させることができるので、手動運転後に自動運転が行われる場合に、ユーザの意図に合わせて適切に自動運転を行うことができる。
【００８２】
また、本実施形態では、制御手段２７を、操作部４４へのユーザの設定操作に基づいて手動換気モードに切り替えられる前の自動換気モードにおける換気機器４の風量（空気質連動風量）と、切り替えられた後のユーザの設定操作に応じた換気機器４の設定風量との風量差に基づいて、所定の時間経過後の新たな自動換気モードにおける換気機器４の風量（空気質連動風量）を調整するように構成する。これにより、風量差に基づいて、新たな自動換気モードにおける換気機器４の風量（空気質連動風量）が調整されるので、ユーザの意図する設定風量と検知機器２の空気質検知状態に応じた空気質連動風量とのずれを、新たな自動換気モードにおける換気機器４の風量（空気質連動風量）に確実に反映させることができる。この結果、新たな自動換気モードにおける換気機器４の風量（空気質連動風量）が、ユーザの意図（好み）とは異なる風量（空気質連動風量）になるのを確実に抑制することができる。
【００８３】
また、本実施形態では、制御手段２７を、空気質連動風量と設定風量との風量差に対応し、風量差が大きくなるに従って、絶対値が大きくなる学習加算点に基づいて、所定の時間経過後の新たな自動換気モードにおける換気機器４の風量（空気質連動風量）を調整するように構成する。これにより、風量差に対応する学習加算点を用いてユーザの意図（好み）を容易に数値化することができるので、新たな自動換気モードにおける換気機器４の風量（空気質連動風量）にユーザの意図（好み）を容易に反映させることができる。また、学習加算点の絶対値を、風量差が大きくなるに従って大きくなるように設定することによって、新たな自動換気モードにおける換気機器４の風量（空気質連動風量）に、風量差の大小を反映させることができる。これにより、新たな自動換気モード（自動運転モード）における換気機器４の風量（空気質連動風量）を、ユーザの意図する風量に適切に近づけることができる。
【００８４】
また、本実施形態では、自動換気モードにおける換気機器４の風量（空気質連動風量）より、切り替えられた後のユーザの設定操作に応じた換気機器４の設定風量が小さい場合における学習加算点の絶対値を、自動換気モードにおける換気機器４の風量（空気質連動風量）より、切り替えられた後のユーザの設定操作に応じた換気機器４の設定風量が大きい場合における学習加算点の絶対値よりも大きくする。これにより、ユーザによる設定風量を小さくする設定操作を、ユーザによる設定風量を大きくする設定操作よりも、新たな自動換気モードにおける換気機器４の風量（空気質連動風量）に大きく反映させることができる。この結果、ユーザが自動換気モード後（自動運転後）に再度手動により設定操作する頻度を減少させることができる。
【００８５】
また、本実施形態では、制御手段２７を、自動換気モードにおいて、調理器３の駆動状態に応じた調理器連動風量、または、検知機器２の空気質検知状態に応じた空気質連動風量になるように、換気機器４の風量（実風量）を調整するように構成する。そして、制御手段２７を、所定の時間経過後の新たな自動換気モードにおいて、検知機器２の空気質検知状態に応じた風量で、かつ、ユーザの設定操作に応じた換気機器４の設定風量に基づいた風量になるように、換気機器４の風量（空気質連動風量）を調整するように構成する。これにより、新たな自動換気モードにおいて、検知機器２の空気質検知状態に応じた空気質連動風量に、ユーザの意図（好み）を反映させることができる。
【００８６】
また、本実施形態では、制御手段２７を、自動換気モードにおいて、調理器３の駆動状態に応じた調理器連動風量と、検知機器２の空気質検知状態に応じた空気質連動風量とのうち、いずれか大きな風量を採用して、採用した風量になるように、換気機器４の風量（実風量）を調整するように構成する。これにより、換気機器４の風量（実風量）が、調理器３の駆動状態に応じた調理器連動風量、および、検知機器２の空気質検知状態に応じた空気質連動風量よりも小さな風量になるのを抑制することができる。この結果、調理器３の駆動に必要な風量を確実に供給することができるとともに、室内の空気の質が低下するのを抑制することができる。
【００８７】
また、本実施形態では、制御手段２７を、手動換気モードに切り替えられた際のユーザの設定操作に応じた風量で手動換気モードを所定の時間実行する間に、操作部４４へのユーザの設定操作が新たに行われた場合には、所定の時間経過後に、新たに行われたユーザの設定操作に応じた換気機器４の設定風量に基づいた風量（空気質連動風量）で、自動換気モードを新たに実行するように構成する。このように構成すれば、ユーザの最新の意図（好み）を、新たな自動換気モードにおける換気機器４の風量（空気質連動風量）に確実に反映させることができる。
【００８８】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００８９】
たとえば、上記実施形態では、換気システム１が、制御手段２７を含む検知機器２と、調理器３と、換気機器４（換気手段）とを備える例を示したが、本発明はこれに限られない。たとえば、換気システムが、制御手段を含む検知機器および換気手段のみを備える構成でもよい。また、換気システムが、検知機器、調理器、および、換気機器以外の機器を含んでいてもよい。
【００９０】
また、上記実施形態では、換気システム１の実質的な制御（図６に示す制御フロー）を行う制御手段２７が、検知機器２に内蔵されている例を示したが、本発明はこれに限られない。本発明では、制御手段が、検知機器に内蔵されていなくてもよい。すなわち、制御手段が、検知機器と別個に設けられた装置に備えられていてもよい。具体的には、調理器の制御手段または換気機器の制御手段により、換気システムの実質的な制御を行ってもよい。また、検知機器、調理器および換気機器以外の制御手段により、換気システムの実質的な制御を行ってもよい。
【００９１】
また、上記実施形態では、制御手段２７が、空気質連動風量と設定風量との風量差に基づいて、新たな自動換気モード（第１換気モード）における換気機器４（換気手段）の空気質連動風量を調整する例を示したが、本発明はこれに限られない。たとえば、制御手段は、調理器連動風量と設定風量との風量差に基づいて、新たな自動換気モードにおける換気手段の調理器連動風量を調整してもよい。なお、この場合、新たな第１換気モードにおいて、換気手段の調理器連動風量を大きくする場合には風量差を反映させる一方、換気手段の調理器連動風量を小さくする場合には風量差を反映させないように換気システムを構成するのが好ましい。これにより、調理器に供給される空気量が減少して、調理器における燃焼が不安定化するのを抑制しつつ、換気手段の調理器連動風量に、ユーザの好みをある程度反映させることが可能である。
【００９２】
また、制御手段を、調理器連動風量と設定風量との風量差に基づいた調理器連動風量と、空気質連動風量と設定風量との風量差に基づいた空気質連動風量との両方に基づいて、新たな第１換気モードにおける換気手段の風量を調整するように構成してもよい。
【００９３】
また、上記実施形態では、制御手段２７が、空気質連動風量と設定風量との風量差に対応する学習加算点に基づいて、新たな自動換気モード（第１換気モード）における換気機器４（換気手段）の風量（空気質連動風量）を調整する例を示したが、本発明はこれに限られない。本発明では、制御手段は、空気質連動風量と設定風量との風量差を、学習加算点以外の方法で、新たな第１換気モードにおける換気手段の風量に反映させてもよい。
【００９４】
また、上記実施形態では、制御手段２７が、記憶手段２８に記憶された空気質連動風量マップ、実風量マップ、および、学習加算点マップに基づいて、それぞれ、空気質連動風量、実風量および学習加算点を取得した例を示したが、本発明はこれに限られない。本発明では、制御手段は、計算式などのマップ以外の方法で、空気質連動風量、実風量または学習加算点を取得してもよい。
【００９５】
また、上記実施形態では、制御手段２７を、自動換気モード（第１換気モード）において、調理器３の駆動状態に応じた調理器連動風量と、検知機器２（空気質検知機器）の空気質検知状態に応じた空気質連動風量とのうち、いずれか大きな風量を採用して、採用した風量になるように、換気機器４（換気手段）の風量（実風量）を調整するように構成した例を示したが、本発明はこれに限られない。たとえば、制御手段は、第１換気モードにおいて、調理器連動風量と空気質連動風量との平均の風量を取得して、取得した風量になるように、換気機器４の風量を調整してもよい。
【００９６】
また、上記実施形態では、制御手段２７を、空気質連動風量と設定風量との風量差に基づいて、所定の時間経過後の新たな自動換気モード（第１換気モード）における換気機器４（換気手段）の空気質連動風量を調整するように構成した例を示したが、本発明はこれに限られない。本発明では、制御手段を、空気質連動風量と設定風量との風量差以外のパラメータに基づいて、所定の時間経過後の新たな第１換気モードにおける換気手段の風量を調整するように構成してもよい。たとえば、制御手段を、空気質連動風量と設定風量との比率の大きさに基づいて、所定の時間経過後の新たな第１換気モードにおける換気手段の風量を調整するように構成してもよい。
【００９７】
また、上記実施形態では、換気機器４（換気手段）の風量が、風量の大きさに応じて４段階（「ＯＦＦ」、「弱」、「中」、「強」）に分かれている例を示したが、本発明はこれに限られない。本発明では、換気手段の風量は、風量の大きさに応じて４段階以外の複数段階に分かれてもよい。なお、換気手段の風量は、少なくとも３段階（「ＯＦＦ」、「弱」、「強」）以上の複数段階に分かれているのが好ましい。また、換気手段を、段階的に風量が切り替わるように構成せずに、連続的に風量が切り替わるように構成してもよい。なお、換気手段（ファンユニット）の回転数を風量差（学習加算点）に応じて連続的に異ならせることによって、換気手段を連続的に風量の大きさが切り替わるように構成することが可能である。
【００９８】
また、上記実施形態では、図５に示す学習加算点マップにおいて、切り替えられる前の自動換気モードにおける空気質連動風量と、切り替えられた後の手動換気モードにおける設定風量との風量差が大きくなるに従って、学習加算点の絶対値が大きくなるように学習加算点を設定した例を示したが、図５に示す学習加算点マップに記載した学習加算点は一例であり、本発明はこれに限られない。
【００９９】
また、上記実施形態では、図５に示す学習加算点マップにおいて、切り替えられる前の自動換気モードにおける空気質連動風量より、切り替えられた後の手動換気モードにおける設定風量が小さい場合における学習加算点の絶対値を、空気質連動風量より設定風量が大きい場合における学習加算点の絶対値よりも大きくなるように、学習加算点を設定した例を示したが、図５に示す学習加算点マップに記載した学習加算点は一例であり、本発明はこれに限られない。たとえば、空気質連動風量より設定風量が小さい場合における学習加算点の絶対値を、空気質連動風量より設定風量が大きい場合における学習加算点の絶対値と等しくしてもよい。
【０１００】
また、上記実施形態では、特許請求の範囲の「風量設定手段」として、換気機器４の操作部４４を用いた例を示したが、本発明はこれに限られない。本発明では、換気機器以外の機器（検知機器または調理器）に設けられた操作手段を、換気機器の設定風量に関するユーザの設定操作を受け付ける風量設定手段として用いてもよい。また、換気機器の設定風量に関するユーザの設定操作を受け付けるリモコンを、換気システムが備えていてもよい。
【０１０１】
また、上記実施形態では、検知機器２の各種センサ２１が、煙センサ２１１、ガスセンサ２１２、ＣＯセンサ２１３および空気質センサ２１４を含む例を示したが、本発明はこれに限られない。本発明では、検知機器に搭載される各種センサは、上記した煙センサ、ガスセンサ、ＣＯセンサおよび空気質センサを含む構成に限らない。たとえば、検知機器は、ＣＯセンサを含まなくてもよいし、煙センサを含まなくてもよい。また、たとえば、検知機器に搭載される各種センサは、煙センサ、ガスセンサ、ＣＯセンサおよび空気質センサ以外の他のセンサを含む構成であってもよい。
【０１０２】
また、上記実施形態の構成に加えて、学習加算点を、所定条件を満たす（例えば検知機器の電源をオフにする）場合にリセットされる（初期状態に戻る）ように、検知機器を構成してもよい。この場合、たとえば、手動換気モード（第２換気モード）の実行中に、検知機器の電源がオフにされた時には、学習加算点をリセットするように検知機器を構成してもよい。この場合、新たな自動換気モード（第１換気モード）における換気機器（換気手段）の風量は、調理器連動風量と学習加算点を考慮しない空気質連動風量とに基づいて設定される。
【０１０３】
また、上記実施形態では、手動換気モード（第２換気モード）の実行中において、ユーザの設定操作が新たに行われた場合に、手動換気モードが、ユーザの最初の設定操作を受け付けてから所定の時間（たとえば、約３０分間）行われる例を示したが、本発明はこれに限られない。本発明では、第２換気モードの実行中において、ユーザの設定操作が新たに行われた場合には、第２換気モードをユーザの最後の設定操作を受け付けてから所定の時間行われるように構成してもよい。
【０１０４】
また、上記実施形態では、制御手段２７を、取得した学習加算点に基づいて、新たな自動換気モード（第１換気モード）における換気機器４（換気手段）の風量（空気質連動風量）を調整するように構成した例を示したが、本発明はこれに限られない。本発明では、制御手段を、取得された学習加算点以外の調整要素に基づいて、新たな第１換気モードにおける換気手段の風量を調整するように構成してもよい。たとえば、記憶された過去の学習加算点と取得した学習加算点との全ての学習加算点を積算した値、または、過去の学習加算点と取得した学習加算点とを平均した値を、調整要素として用いてもよい。この場合、所定条件（所定のスイッチ操作など）で、調整要素がリセットされるように構成してもよい。また、所定期間内の学習加算点を積算した値、または、所定期間内の学習加算点を平均した値を、調整要素として用いてもよい。
【符号の説明】
【０１０５】
１  換気システム
２  検知機器（室内機器、空気質検知機器）
３  調理器（室内機器）
４  換気機器（換気手段）
４４  操作部（風量設定手段）
２７  制御手段
２８  記憶手段
５００  室内
【図１】
2018071897.tif 000003
【図２】
2018071897.tif 000004
【図３】
2018071897.tif 000005
【図４】
2018071897.tif 000006
【図５】
2018071897.tif 000007
【図６】
2018071897.tif 000008